(57)【要約】【課題】給気対象箇所毎に駆動部を設けることなく、給気対象箇所への空気の供給を切替えることができる給気装置を提供する。【解決手段】給気装置１０は、給気対象物の一例である座席１２に沿って配置され、給気対象箇所毎に給気口３２、３４が形成された固定筒としての外筒２６と、外筒２６の軸周りに回転可能に取付けられ、異なる回転位置で給気口３２、３４と連通する開口部が周方向に複数形成された回転筒としての内筒２８と、外筒２６及び内筒２８のうち内側に配置されている方へ空気を供給する空気供給手段２２と、内筒２８を回転させる駆動手段３５と、を有する。【選択図】図１
2020020525.tif 000002
【特許請求の範囲】
【請求項１】
給気対象物に沿って配置され、給気対象箇所毎に給気口が形成された固定筒と、
前記固定筒の軸周りに回転可能に取付けられ、異なる回転位置で前記給気口と連通する開口部が周方向に複数形成された回転筒と、
前記固定筒及び前記回転筒のうち内側に配置されている方へ空気を供給する空気供給手段と、
前記回転筒を回転させる駆動手段と、
を有する給気装置。
【請求項２】
前記固定筒は外筒であり、前記回転筒は前記外筒の内側に回転可能に挿入された内筒である、請求項１に記載の給気装置。
【請求項３】
前記給気口を前記固定筒の長さ方向にｎ個数（ｎは整数）形成したとき、前記開口部は前記回転筒の周方向に３６０°／２ｎの間隔で形成されている、請求項１又は２に記載の給気装置。
【発明の詳細な説明】
【技術分野】
【０００１】
本発明は、給気装置に関する。
【背景技術】
【０００２】
座席等の給気対象物の給気対象箇所毎に空調空気を供給する給気装置が知られている。従来、給気対象箇所毎に空気の供給を切替える場合には、給気対象箇所毎にダンパやシャッターを設け、ダンパやシャッターを開閉制御することにより空気の供給を切替える必要があった。
【０００３】
例えば特許文献１には、シートクッション及びシートバックにそれぞれ送風口が設けられており、送風口毎に設けられた開閉ブレードによって各送風口を開閉させることで、シートクッション及びシートバックへの送風を切替える通風シート構造が開示されている。
【先行技術文献】
【特許文献】
【０００４】
【特許文献１】実開平４−３９１０６号公報
【発明の概要】
【発明が解決しようとする課題】
【０００５】
給気対象箇所毎にダンパやシャッター等の駆動部が設けられている場合、給気装置の駆動部の数が多くなる。このため、給気装置の故障のリスクが増加し、メンテナンス頻度及びコストが増加するという問題があった。
【０００６】
本発明は上記事実に鑑み、給気対象箇所毎に駆動部を設けることなく、給気対象箇所への空気の供給を切替えることができる給気装置を提供することを目的とする。
【課題を解決するための手段】
【０００７】
請求項１に記載の給気装置は、給気対象物に沿って配置され、給気対象箇所毎に給気口が形成された固定筒と、前記固定筒の軸周りに回転可能に取付けられ、異なる回転位置で前記給気口と連通する開口部が周方向に複数形成された回転筒と、前記固定筒及び前記回転筒のうち内側に配置されている方へ空気を供給する空気供給手段と、前記回転筒を回転させる駆動手段と、を有する。
【０００８】
上記構成によれば、給気対象物に沿って固定筒が配置され、固定筒の軸周りに回転筒が回転可能に取付けられ、固定筒及び回転筒のうち内側に配置されている方へ空気供給手段から空気が供給される。これにより、固定筒の給気口と回転筒の開口部とが連通したときに、給気対象箇所毎へ空気が給気される。
【０００９】
ここで、開口部は回転筒の周方向に複数形成されており、異なる回転位置で給気口と連通する。このため、駆動手段によって回転筒を異なる回転位置へ回転させることで、特定の給気口と開口部とを連通させたり、全ての給気口と開口部を連通させたりすることができる。これにより、従来のように給気対象箇所毎にダンパ等を設ける必要がなく、駆動手段で回転筒を回転させるだけで、給気対象物の使用状態に応じて空気の供給を切替えることができる。
【００１０】
請求項２に記載の給気装置は、請求項１に記載の給気装置であって、前記固定筒は外筒であり、前記回転筒は前記外筒の内側に回転可能に挿入された内筒である。
【００１１】
上記構成によれば、内筒を固定して外筒を回転させる回転機構と比較して、外筒を固定して内筒を回転させることで回転機構を単純化することができる。
【００１２】
請求項３に記載の給気装置は、請求項１又は２に記載の給気装置であって、前記給気口を前記固定筒の長さ方向にｎ個数（ｎは整数）形成したとき、前記開口部は前記回転筒の周方向に３６０°／２ｎの間隔で形成されている。
【００１３】
上記構成によれば、開口部を回転筒の周方向に３６０°／２ｎの間隔で形成することで、想定される全ての給気パターンに対応することができる。
【発明の効果】
【００１４】
本発明に係る建物によれば、給気対象箇所毎に駆動部を設けることなく、給気対象箇所への空気の供給を切替えることができる。
【図面の簡単な説明】
【００１５】
【図１】（Ａ）は第１実施形態の給気装置を座席に取付けた状態を示す側断面図であり、（Ｂ）は正断面図である。
【図２】第１実施形態の給気装置の給気ダンパを示す斜視図である。
【図３】第１実施形態の給気装置の給気ダンパを示す分解斜視図である。
【図４】（Ａ）は第１実施形態の給気装置の給気ダンパを示す断面図であり、（Ｂ）は給気ダンパの回転筒を示す展開図である。
【図５】第２実施形態の給気装置を座席に取付けた状態を示す正断面図である。
【図６】（Ａ）は第２実施形態の給気装置の給気ダンパを示す断面図であり、（Ｂ）は給気ダンパの回転筒を示す展開図である。
【発明を実施するための形態】
【００１６】
＜第１実施形態＞
以下、本発明の第１実施形態における給気装置について、図１〜図４を用いて説明する。
【００１７】
（構造）
図１（Ａ）及び図１（Ｂ）に示すように、本実施形態の給気装置１０は、例えば劇場やホール等に設置された給気対象物の一例としての座席１２に取付けられている。座席１２は、座面１２Ａと背もたれ１２Ｂとを有しており、本実施形態では２つの座席１２が連設されている。
【００１８】
各座席１２は、座面１２Ａから背もたれ１２Ｂに亘って設けられたクッション部１４と、クッション部１４を支持する支持部１６と、内部に形成された空洞部１８と、をそれぞれ有しており、空洞部１８に給気装置１０が取付けられている。
【００１９】
座席１２のクッション部１４は、例えば樹脂材料をバネ状に成形した網状体層１４Ａと、化学繊維からなる不織布層１４Ｂとで構成された二層構造とされており、空気が挿通可能とされている。なお、クッション部１４の表面には、通気性を有する図示しないカバーシートが設けられている。
【００２０】
また、座席１２の支持部１６は、複数の孔１６Ａを有する格子状の部材であり、給気装置１０から空洞部１８内に給気された空気が、支持部１６の孔１６Ａ及びクッション部１４内を通り抜けて座席１２の座面１２Ａに座っている人に供給可能とされている。
【００２１】
給気装置１０は、給気ダンパ２０と、給気ダンパ２０に空気を供給する空気供給手段２２と、給気ダンパ２０と空気供給手段２２とを接続するダクト２４と、を有している。また、給気ダンパ２０は、座席１２の連設方向がそれぞれ長さ方向とされた固定筒としての外筒２６と、回転筒としての内筒２８と、を有している。
【００２２】
図２、図３に示すように、外筒２６は、長さ方向両端面が閉じられた円筒であり、長さ方向一端部の下面にダクト２４が接続されている。なお、外筒２６の長さ方向他端面には、後述する駆動手段３５の駆動軸３５Ａが挿通される挿通孔３０が形成されている。
【００２３】
また、外筒２６の上面には、長さ方向に沿って２個の矩形状の給気口３２、３４が形成されている。図１（Ｂ）に示すように、外筒２６は、空洞部１８において２つの座席１２に跨って配置されており、２個の給気口３２、３４は２つの座席１２の下部にそれぞれ開口している。すなわち、座席１２毎に給気口３２、３４が形成されている。なお、外筒２６は、図示しない固定手段によって座席１２の空洞部１８内に固定されている。
【００２４】
一方、図２、図３に示すように、内筒２８は、長さ方向両端面が開口した正四角筒であり、外筒２６の内側に挿入されているとともに外筒２６と軸心が同一とされている。また、内筒２８の軸心には、図１に示すモータ等の駆動手段３５の駆動軸３５Ａが固定されており、これにより、内筒２８が外筒２６の軸周りに回転可能とされている。
【００２５】
なお、駆動手段３５は、座席１２の空洞部１８における外筒２６の外側に設置されており、図２、図３に示すように、駆動手段３５の駆動軸３５Ａは外筒２６の挿通孔３０に挿通されて内筒２８の軸心に固定されている。
【００２６】
また、内筒２８の外周面には、複数（本実施形態では３枚）のフランジ３６が設けられている。フランジ３６は、後述する開口部３８間を仕切るように内筒２８の長さ方向に間隔を空けて設けられているとともに、外径が外筒２６の内径と略同じ大きさとされており、内筒２８はフランジ３６部分で外筒２６の内周面に接触している。
【００２７】
なお、フランジ３６の外周面と外筒２６の内周面との間に隙間ができることを防ぐため、フランジ３６の外周面に図示しないゴム部材等が取付けられていてもよい。また、外筒２６の内周面に、フランジ３６の外周面を案内する図示しない案内溝が設けられていてもよい。
【００２８】
さらに、内筒２８の外周面の長さ方向及び周方向には、外筒２６の給気口３２、３４と略同じ大きさとされ、内筒２８の異なる回転位置で給気口３２、３４と連通する４個の開口部３８が形成されている。ここで、内筒２８の開口部３８は、給気口３２、３４を外筒２６の長さ方向にｎ個（ｎは整数）形成したとき、内筒２８の周方向に３６０°／２ｎの間隔で形成されている。
【００２９】
すなわち、本実施形態では、給気口３２、３４は２個（ｎ＝２）であるため、４個の開口部３８は内筒２８の周方向に９０°の間隔で形成されている。なお、本実施形態では、内筒２８は正四角筒であるため、開口部３８を内筒２８の周方向に９０°の間隔で形成した場合、内筒２８の４つの平面部分に開口部３８が形成される。
【００３０】
具体的には、図４（Ａ）及び図４（Ｂ）に示すように、内筒２８の第１平面２８Ａ及び第２平面２８Ｂに、給気口３２に対応する開口部３８が形成され、内筒２８の第２平面２８Ｂ及び第３平面２８Ｃに、給気口３４に対応する開口部３８が形成されている。なお、内筒２８の第４平面２８Ｄには、開口部３８は形成されていない。
【００３１】
図１に示すように、空気供給手段２２は、例えば空調機であり、空調空気（冷気又は暖気）を生成するとともに、図示しないファンによって空調空気をダクト２４に供給する。また、座席１２が設置されている床４０の下部には、送風量調整手段４２が設けられている。
【００３２】
送風量調整手段４２は、ダクト２４の途中に設けられたＶＡＶや変風量ファン等であり、空気供給手段２２からダクト２４に供給された空調空気の送風量が、送風量調整手段４２によって調整可能とされている。
【００３３】
ダクト２４は、一端部が床４０下で空気供給手段２２及び送風量調整手段４２に接続されているとともに、他端部が床４０に形成された貫通孔４０Ａを通って床４０上で給気ダンパ２０の外筒２６に接続されている。
【００３４】
また、２つの座席１２の座面１２Ａにおけるクッション部１４には、検知手段４４がそれぞれ設けられている。検知手段４４は、例えば重量センサや反射式赤外線センサ、圧力センサ、座面１２Ａの表面温度を測定する温度計等であり、検知手段４４によって座席１２のクッション部１４に人が座っているか否か、すなわち在席状態を検知することが可能とされている。
【００３５】
さらに、給気装置１０には、検知手段４４の検知結果に基いて在席状態を判断するとともに、給気ダンパ２０の内筒２８を回転させる駆動手段３５の出力、及び送風量調整手段４２の出力を制御する制御手段４６が設けられている。
【００３６】
（作用、効果）
空気供給手段２２によって生成された空調空気は、ダクト２４を通って給気ダンパ２０の外筒２６内に供給され、内筒２８の開口端を通って内筒２８内に供給される。そして、内筒２８の開口部３８と外筒２６の給気口３２、３４が連通したときに、開口部３８及び給気口３２、３４を通って各座席１２の空洞部１８に給気される。
【００３７】
ここで、本実施形態によれば、内筒２８に４個の開口部３８が形成されており、開口部３８が異なる回転位置で給気口３２、３４と連通する。特に本実施形態では、給気口３２、３４にそれぞれ対応する開口部３８が、内筒２８の周方向に９０°の間隔で２個ずつ形成されている。
【００３８】
このため、駆動手段３５によって内筒２８を回転させることで、給気口３２のみが開口部３８と連通した状態、給気口３４のみが開口部３８と連通した状態、給気口３２、３４の両方が開口部３８と連通した状態、及び給気口３２、３４のどちらも開口部３８に連通していない状態、の想定される４種類の給気パターン全てに対応することができる。これにより、従来のように座席１２毎にダンパ等を設ける必要がなく、１つの駆動手段３５によって内筒２８を回転させるだけで、座席１２毎に空気の供給を切替えることができる。
【００３９】
また、本実施形態によれば、給気装置１０の給気ダンパ２０は、外筒２６を座席１２の空洞部１８内に固定し、外筒２６の内側に配置された内筒２８を駆動手段３５によって回転させている。このため、内筒を固定して外筒を回転させる回転機構と比較して、構造を単純化することができる。
【００４０】
さらに、本実施形態によれば、在席状態を検知する検知手段４４、空調空気の送風量を調整する送風量調整手段４２、及び駆動手段３５の出力と送風量調整手段４２の出力を制御する制御手段４６が設けられている。このため、在席している人の数や位置、すなわち座席１２の使用状態に応じて送風量及び給気箇所を調整することができ、空気供給手段２２のファン動力を抑制することができる。
【００４１】
＜第２実施形態＞
次に、本発明の第２実施形態における給気装置について、図５、図６を用いて説明する。なお、第１実施形態の給気装置１０と同様の構成については説明を省略する。
【００４２】
（構造）
図５に示すように、本実施形態の給気装置５０は、給気対象物の一例としての座席５２に取付けられている。座席５２は第１実施形態の座席１２と同様の構成とされており、本実施形態では３つの座席５２が連設されている。
【００４３】
給気装置５０は、第１実施形態の給気装置１０と同様に、給気ダンパ５４と、給気ダンパ５４に空気を供給する図示しない空気供給手段と、給気ダンパ５４と空気供給手段とを接続するダクト５６と、を有している。また、給気ダンパ５４は、座席５２の連設方向がそれぞれ長さ方向とされた固定筒としての外筒５８と、回転筒としての内筒６０と、を有している。
【００４４】
外筒５８は長さ方向両端面が閉じられた円筒であり、上面には、長さ方向に沿って３個の矩形状の給気口６２、６４、６６が形成されている。また、外筒５８の下面における給気口６２と給気口６４との間には、ダクト５６が接続されている。
【００４５】
外筒５８は、座席５２の空洞部６８において３つの座席５２に跨って配置されており、３個の給気口６２、６４、６６は３つの座席５２の下部にそれぞれ開口している。すなわち、座席５２毎に給気口６２、６４、６６が形成されている。
【００４６】
内筒６０は、第１実施形態の内筒２８と同様に、長さ方向両端面が開口しており、外筒５８の内側に挿入されている。また、内筒６０は、外筒５８と軸心が同一とされており、図５に示す駆動手段７０によって外筒５８の軸周りに回転可能とされている。
【００４７】
なお、図６（Ｂ）に示すように、内筒６０の外周面におけるダクト５６に対応する位置には、空気導入口７２が形成されている。また、内筒６０には、空気導入口７２と後述する各開口部７６とを仕切る複数（本実施形態では５枚）のフランジ７４が長さ方向に間隔を空けて設けられており、フランジ７４部分で内筒６０が外筒５８の内周面に接触している。
【００４８】
また、図６（Ａ）に示すように、本実施形態では、内筒６０は正八角筒とされており、内筒６０の異なる回転位置で給気口６２、６４、６６と連通する１２個の開口部７６が外周面の長さ方向及び周方向に形成されている。本実施形態では、給気口６２、６４、６６は３個（ｎ＝３）であるため、開口部７６は内筒６０の周方向に３６０°／２ｎ＝４５°の間隔で形成されている。すなわち、内筒６０の８つの平面部分に開口部７６が形成される。
【００４９】
具体的には、図６（Ａ）及び図６（Ｂ）に示すように、内筒６０の第１平面６０Ａ〜第４平面６０Ｄに、給気口６２に対応する開口部７６が形成され、第１平面６０Ａ、第２平面６０Ｂ、第５平面６０Ｅ、及び第６平面６０Ｆに、給気口６４に対応する開口部７６が形成されている。また、内筒６０の第１平面６０Ａ、第３平面６０Ｃ、第６平面６０Ｆ、及び第７平面６０Ｇに、給気口６６に対応する開口部７６が形成され、内筒６０の第８平面６０Ｈには開口部７６は形成されていない。
【００５０】
（作用、効果）
図示しない空気供給手段によって生成された空調空気は、ダクト５６を通って給気ダンパ５４の外筒５８内に供給され、内筒６０の空気導入口７２を通って内筒６０内に供給される。そして、内筒６０の開口部７６と外筒５８の給気口６２、６４、６６が連通したときに、開口部７６及び給気口６２、６４、６６を通って各座席５２の空洞部６８に給気される。
【００５１】
ここで、本実施形態によれば、内筒６０に１２個の開口部７６が形成されており、開口部７６が異なる回転位置で給気口６２、６４、６６と連通する。特に本実施形態では、給気口６２、６４、６６にそれぞれ対応する開口部７６が、内筒６０の周方向に４５°の間隔で４個ずつ形成されている。
【００５２】
このため、駆動手段７０によって内筒６０を回転させることで、給気口６２、６４、６６のうち１個のみが開口部７６と連通した状態、給気口６２、６４、６６のうち２個が開口部７６と連通した状態、給気口６２、６４、６６の３個全てが開口部７６と連通した状態、及び給気口６２、６４、６６のいずれも開口部７６に連通していない状態、の想定される８種類の給気パターン全てに対応することができる。
【００５３】
また、第１実施形態では、外筒２６の長さ方向一端部にダクト２４が接続されていたのに対し、本実施形態では、外筒５８の下面における給気口６２と給気口６４との間にダクト５６が接続され、内筒６０の外周面におけるダクト５６に対応する位置に空気導入口７２が形成されている。
【００５４】
このように、給気ダンパ５４へのダクト５６の接続位置を変えることで、例えば床４０下に設けられている梁等を避けてダクト５６を配設することができ、給気装置５０の設置場所の自由度を高めることができる。
【００５５】
＜その他の実施形態＞
以上、本発明について第１実施形態、第２実施形態を説明したが、本発明はかかる実施形態に限定されるものではなく、本発明の範囲内にて他の種々の実施形態が可能である。
【００５６】
例えば、上記実施形態は、給気対象物が座席１２、５２とされ、給気装置１０、５０によって座席１２、５２毎に空気を供給する構成とされていたが、給気対象物は座席１２、５２には限られず、机やパーテーション（間仕切り）等であってもよい。
【００５７】
同様に、第１実施形態では２つの座席１２が連設され、第２実施形態では３つの座席５２が連設されていたが、座席（給気対象物）の数は３つ以上であってもよく、１つの座席（給気対象物）の複数個所に空気を供給する構成としてもよい。
【００５８】
また、上記実施形態では、外筒２６、５８が固定筒とされ、内筒２８、６０が回転筒とされていた。しかし、内筒を固定筒とし、内筒の外側に配置された外筒を回転筒としてもよい。さらに、外筒２６、５８及び内筒２８、６０の断面形状も上記実施形態には限られず、内筒を円筒としたり外筒を四角筒としたりしてもよい。
【００５９】
また、第１実施形態では、給気装置１０に在席状態を検知する検知手段４４や空調空気の送風量を調整する送風量調整手段４２が設けられていたが、検知手段４４及び送風量調整手段４２は必須の構成ではなく、在席状態に拘らず空気の供給を切替える構成としてもよい。さらに、検知手段４４は、人が座席１２に座っているか否かではなく、例えば折畳み式の座席において座面が折畳まれているか否かを検知する構成としてもよい。
【符号の説明】
【００６０】
１０、５０                         給気装置
１２、５２                         座席（給気対象物）
２２                               空気供給手段
２６、５８                         外筒（固定筒）
２８、６０                         内筒（回転筒）
３２、３４、６２、６４、６６       給気口
３５、７０                         駆動手段
３８、７６                         開口部
【図１】
2020020525.tif 000003
【図２】
2020020525.tif 000004
【図３】
2020020525.tif 000005
【図４】
2020020525.tif 000006
【図５】
2020020525.tif 000007
【図６】
2020020525.tif 000008